(57)【要約】
【目的】　微小クラスタ化された水溶液の貯蔵に適したタンクを提供する。
【構成】　微小クラスタ化された不燃水等の水溶液を貯蔵するポリタンク等の移動可能なタンクの排出口に該水溶液を再度微小クラスタ化するための磁石を取り付ける。流れる水溶液に磁場を印加することにより、当該水溶液を効率良く微小クラスタ化することができる。一旦微小クラスタ化された不燃水等の水溶液のクラスタが元の大きさに戻っても、排出口の磁石により再度微小クラスタ化されることとなる。
【選択図】　図３
0003100293.tif 000002
【実用新案登録請求の範囲】
【請求項１】
原料水に難燃化薬剤が溶解された不燃水を貯蔵するものであって且つ携帯可能な不燃水貯蔵用タンクにおいて、
　前記不燃水貯蔵用タンクの不燃水に磁場が印加するように、磁石が設けられたことを特徴とする不燃水貯蔵用タンク。
【請求項２】
前記タンクは、タンク本体と不燃水を給水するための給水手段を備え、
　前記磁石は、前記給水手段に設けられていることを特徴とする請求項１に記載の不燃水貯蔵用タンク。
【請求項３】
前記給水手段は、不燃水が通過する配水管が形成された弁箱と、
　前記弁箱に嵌めあわされ、前記配水管内の水流を開閉する栓と、
　前記栓を回転させるためのハンドルとを備え、
　前記磁石は、前記配水管の内部に向かって磁場が印加するように設けられていることを特徴とする請求項１又は２に記載の不燃水貯蔵用タンク。
【請求項４】
前記不燃水は、原料水を磁気化し、
その後、磁気化された前記原料水を軟水化し、
　ついで、軟水化された前記原料水を昇温して循環させかつ更に磁気化し、
その後、該原料水に難燃化薬剤を溶解することにより得られるものである請求項１乃至３のいずれか１項に記載された不燃水貯蔵用タンク。
【請求項５】
原料水に難燃化薬剤が溶解された不燃水を貯蔵するタンクに取り付けるものであり、且つ前記タンクから前記不燃水を給水する給水栓において、
　不燃水が通過する配水管が形成された弁箱と、
　前記弁箱に嵌めあわされ、前記配水管内の水流を開閉する栓と、
　前記栓を回転させるためのハンドルと、
　前記配水管の内部に向かって磁場が印加するように設けられた磁石とを備えることを特徴とする給水栓。
【請求項６】
微小クラスタ化された水溶液を貯蔵する移動可能なタンクの排出口に該水溶液を再度微小クラスタ化するための磁場印加装置が備えられている、ことを特徴とする水溶液の貯蔵用タンク。
【請求項７】
前記タンクは、スプレー缶、ポリタンク若しくは車載用タンクである、ことを特徴とする請求項６に記載の貯蔵用タンク。
【請求項８】
前記水溶液は不燃水である、ことを特徴とする請求項６又は７に記載の貯蔵用タンク。
【考案の詳細な説明】
【技術分野】
【０００１】
　この考案は水溶液の貯蔵用タンクに関する。更に詳しくは磁場その他のエネルギーを印加することにより微小クラスタ化された不燃水等の水溶液の貯蔵に適したタンクに関する。
【背景技術】
【０００２】
　水の特性を改善し、浸透性のある水溶性不燃水の製造方法が提案されている（特許文献１参照）。この方法では、マイナス高電圧の電荷を水に付加することにより、水のクラスタを小さくし（微小クラスタ化）、その中に溶解された難燃化薬剤とともに木材、紙、布その他の可燃性材料へ浸透しやすくしている。
【０００３】
　本件に関連する文献として、特許文献１の外に特許文献２〜６も参照されたい。
【０００４】
【特許文献１】特開２００３−１７１６６６号公報
【特許文献２】特開２００１−２００２５５号公報
【特許文献３】特開２００２−３５７６０号公報
【特許文献４】特開２００２−１１４７９号公報
【特許文献５】特開平１１−３３４９８号公報
【特許文献６】特開平６−１２６２８７号公報
【考案の開示】
【考案が解決しようとする課題】
【０００５】
　特許文献１で紹介されている水溶性不燃液（不燃水）は木材等の可燃性材料へ浸透して、これを不燃化する。
　そこで、不燃水にはより優れた浸透性が求められている。優れた浸透性を得る方法として、原料水を磁気化し、その後、磁気化された前記原料水を軟水化し、ついで、軟水化された前記原料水を昇温して循環させかつ更に磁気化し、その後、該原料水に難燃化薬剤を溶解する方法が考えられる。
【０００６】
　このようにして得られた不燃水によれば、木材等の可燃性材料に対する浸透性が飛躍的に向上する。例えば、この考案の不燃水を木材に対してスプレー若しくは塗布するだけで、当該不燃水が木材内へ浸透しこれを不燃化することができる。
【０００７】
　しかしながら、上記方法により製造された不燃水を、製造した直後に塗布するわけではなく、しばらくの間ポリタンク等の貯蔵タンクに保存してから使用する。そこで、保存する時間が長いと、上記磁気化してからかなりの時間が経過するので、上記製造工程により製造された直後の不燃水と比較して、木材に浸透する機能が低下するという問題点がある。
　これは、小さくされた不燃水のクラスタがもとの大きさに戻ることによると考えられる。
【課題を解決するための手段】
【０００８】
　本考案者らは長時間経過しても不燃水の浸透性が衰えない不燃水貯蔵用タンクを得るべく鋭意検討を重ねてきた結果、本考案を想到するに至った。即ち、
　１．原料水に難燃化薬剤が溶解された不燃水を貯蔵するものであって且つ携帯可能な不燃水貯蔵用タンクにおいて、
　前記不燃水貯蔵用タンクの不燃水に磁場が印加するように、磁石が設けられたことを特徴とする不燃水貯蔵用タンク。
　２．前記タンクは、タンク本体と不燃水を給水するための給水手段を備え、
　前記磁石は、前記給水手段の内部に向かって磁場が印加されるように設けられていることを特徴とする上記１．に記載の不燃水貯蔵用タンク。
　３．前記給水手段は、不燃水が通過する配水管が形成された弁箱と、
　前記弁箱に嵌めあわされ、前記配水管内の水流を開閉する栓と、
　この栓を回転させるためのハンドルとを備え、
　前記磁石は、前記配水管の内部に向かって磁場が印加するように設けられていることを特徴とする上記１．又は２．に記載の不燃水貯蔵用タンク。
　４．前記不燃水は、原料水を磁気化し、
その後、磁気化された前記原料水を軟水化し、
　ついで、軟水化された前記原料水を昇温して循環させかつ更に磁気化し、
その後、該原料水に難燃化薬剤を溶解することにより得られるものである上記１．乃至３．のいずれか１項に記載された不燃水貯蔵用タンク。
　５．原料水に難燃化薬剤が溶解された不燃水を貯蔵するタンクに取り付けるものであり、且つ前記タンクから前記不燃水を給水する給水栓において、 
　前記不燃水が通過する配水管が形成された弁箱と、
　前記弁箱に嵌めあわされ、前記配水管内の水流を開閉する栓と、
　前記栓を回転させるためのハンドルと、
　前記配水管の内部に向かって磁場が印加するように設けられた磁石とを備えることを特徴とする給水栓。
【考案の効果】
【０００９】
　前記構成の不燃水貯蔵用タンクによれば、タンク内の不燃水に磁場がかけられるので、当該不燃水において小さなクラスタが維持される。よって、長時間経過しても木材等の可燃性材料に対する浸透性を低下させることなく貯蔵することができる。
　更に前記構成の給水栓によれば、不燃水貯蔵用のポリタンク等にこの給水栓を取り付けることにより、給水する直前に再び磁場を印加するので、タンク内の不燃水のクラスタが大きくなっていたとしてもそのクラスタが再度小さくされる。従って、不燃水を不燃水製造装置から取り出してからの経過時間に拘わらず、不燃水に木材等に対する優れた浸透性を与えられる。
【考案を実施するための最良の形態】
【００１０】
　以下、この考案の各要素について説明する。
１．不燃水貯蔵用タンクの構成
　本考案の不燃水貯蔵用タンクは、原料水に難燃化薬剤が溶解された不燃水を貯蔵するものである。ここで用いる難燃化薬剤としては、リン酸二水素アンモニウム、スルファミン酸アンモニウム、四ほう酸ナトリウム、ほう酸、ホウ砂、酸化鉄、ポリリン酸、水性シリコーン、フッ素、珪酸ナトリウム、リン酸グアニジン等の周知の薬剤を任意の配合比で用いることができる。
【００１１】
　また、本考案の不燃水貯蔵用タンクは、携帯用若しくは移動可能なものであれば特に限定されず、金属からなるもの、樹脂からなるもの等が挙げられるが、樹脂からなるものが好ましい。重量が小さいため持ち運びを容易に行うことができるからである。更に、樹脂からなるものの場合、ポリタンクを用いることが好ましい。その他、スプレー缶や車載用タンク（タンクローリー車のタンク等）を用いることができる。
　また、本考案の不燃水貯蔵用タンクは、そのタンクの内部に磁場が印加されるように磁石が設けられたものである。この磁石の配置場所は、タンクの内部に磁場が印加されるような位置であれば特に限定されないが、少なくとも不燃水が通過し、又は、存在する場所に磁場が印加する位置に設けられていることが好ましい。不燃水により強い磁場を印加することができ、これにより、難燃化薬剤の溶解性が向上かつ安定し、木材等に対する浸透性も向上するからである。このとき用いる磁石は、磁場を印加することができるものであれば特に限定されず、電磁石でも良いし永久磁石でも良い。
　このような磁場印加装置はタンクの排水口付近に設けられることが好ましい。流動状態の水溶液に磁場をかけたときにより効果的に微小クラスタ化が行えるからである。
【００１２】
　また、不燃水貯蔵用タンクとしてポリタンクを用いる場合、図２及び図４に示されるように、ポリタンク本体３２から不燃水を給水するための給水手段を設け、この給水手段に磁石を設けたものでも良い。このとき、この給水手段は、図４に示されるようにホース状のものでも良いし、また、図２に示されるように給水栓３３を用いても良い。
【００１３】
　給水手段として給水栓３３を用いる場合、この給水栓３３の構成は特に限定されないが、例えば、配水管３８が形成された弁箱内３４に栓３６を設け、そして、ハンドル３７によってこの栓３６を回転させることにより、配水管３８内の不燃水貯蔵用タンクからの水流を開閉するもの等が挙げられる。この水流を開閉する構成は特に限定されず、例えば、図３に示されるように、栓３６に貫通孔３５を開けて、ハンドル３７によって栓３６を回転させることにより前記栓３６が弁箱３４に対して摺動しながら給水タンクからの水流を開閉するものでも良いし、また水道の蛇口のように、弁箱３４の内面の雌螺子を及び栓３６に雄螺子を形成して、ハンドル３７によって栓３６を回転させることにより、配水管３８内の不燃水貯蔵用タンクからの水流を開閉するものでも良い。
【００１４】
　更に、給水手段を設けたものの場合、磁石を設置する位置は、不燃水が通過し、又は、存在する場所であれば特に限定されないが、給水手段を通過する不燃水に磁場が印加するように設置することが好ましい。例えば、給水手段として給水栓を用いた場合、図３に示されるように配水管３８の外面に設けられ、前記磁石は異なった極がお互い対向する位置になるように設けられたものが好ましい。このとき用いる磁石の磁束量大きさは特に限定されないが、不燃水のクラスタを小さくできものとする。
【００１５】
　また、給水手段としてホース状のものを用いた場合、図４に示されるように、配水ホース４０の外面に磁石４１を設け、この磁石は異なった極がお互い対向する位置になるように設けられたものが好ましい。
　更に、この給水手段は、図２に示されるようにポリタンク本体から取り外し可能に設けられていても良いし、図示されていないがポリタンク本体に一体的に形成されたものであっても良い。
【００１６】
２．不燃水の構成及び製造方法
　不燃水は、原料水に難燃化薬剤が溶解されたものであれば特に限定されないが、原料水を磁気化し、その後、磁気化された前記原料水を軟水化し、ついで、軟水化された前記原料水を昇温して循環させかつ更に磁気化し、その後、該原料水に難燃化薬剤を溶解することにより得られるものを通常用いる。具体的には以下の方法により製造されたものを用いることが好ましい。
【００１７】
　（原料水）
　原料水には化学薬品原料用の蒸留水、イオン交換水の外、水道水や井戸水を用いることができる。原料水をフィルタに通してその夾雑物を除去する。本考案で原料水に磁場を印加するので、原料水中から鉄族イオン等の強磁性体を除去しておくことが好ましい。
【００１８】
　（原料水の磁気化）
　原料水は処理の最初の段階で磁気化される。静止状態若しくは流動状態の原料水に磁場を印加することにより、原料水の磁気化が行われる。磁場の発生装置としては永久磁石若しくは電磁コイルを用いることができる。磁場の強さは、処理対象となる原料水の量に応じて適宜選択される。
　最初の段階で原料水を磁気化することにより、原料水のクラスタが小さくなり、難燃化薬剤の溶解性が向上かつ安定し、木材等に対する浸透性も向上する。
【００１９】
　（軟水化処理）
　磁気化された原料水を軟水化する。ここに軟水とはカルシウムイオンやマグネシウムイオンの含有量が比較的少ない水をいい、この考案では日本国で得られる通常の水道水よりもカルシウムイオンやマグネシウムイオンの含有量が少ないものをいう。更には、１０度以下の硬度の水を用いることが好ましい。軟水化処理は汎用的なイオン交換やキレート剤を添加することにより行われる。
　なお、イオン交換水を原料として用いるときは当該軟水化処理工程が不要なことはいうまでもない。
　この軟水化処理を行うことで、難燃化薬剤の溶解性が向上かつ安定し、木材等に対する浸透性も向上する。
【００２０】
　（原料水の昇温、磁気化）
　軟水化された原料水を３５℃〜４５℃まで昇温し、さらに磁場をかけて再度磁気化する。
　原料水は任意の方法で昇温することができる。そして、この昇温された原料水に再度磁場を印加してこれを磁気化させる。磁場の印加の方法は特に限定されないが、原料水を加温／保温するタンクから突設された循環パイプに磁場発生装置を付設することが好ましい。
　この処理を行うことで、難燃化薬剤の溶解性が向上かつ安定し、木材等に対する浸透性も向上する。
【００２１】
　（難燃化薬剤の溶解）
　昇温及び再度磁気化された原料水へ難燃化薬剤を溶解させる。溶解の条件は任意に選択できものであるが、熱の有効利用の観点から、先のステップと同一の温度（３５〜４５℃）に原料水の温度を維持して、これへ難燃化薬剤を溶解させることが好ましい。尚、この燃化剤の種類及び配合割合は前記１．の説明をそのまま適用することができる。
【００２２】
３．不燃水の使用態様
　本考案の不燃水貯蔵用タンクに貯蔵されている不燃水は、木材（柱材、板材等）、紙（壁紙、襖紙、障子紙、ダンボール等）、布（建材用、衣服用等）などの可燃性材料へ浸透させる。浸透の方法は浸漬、塗布、スプレー等の任意の方法を採用することができる。特にこの考案の不燃水はスプレーにより可燃性材料へ浸透させることができるので、使い勝手のよいものとなる。
【００２３】
　以上、微小クラスタ化の対象となる水溶液として不燃水を例に採り説明をしてきたが、飲料水、薬剤、農薬、殺虫剤その他の水溶液（工場等で一旦微小クラスタ化されたもの）の再生（再度微小クラスタ化すること）に本考案のタンクを利用することができる。
【実施例】
【００２４】
　以下、この考案の実施例の不燃水貯蔵用タンクについて、図面を参照しながら説明をする。
　まず、不燃水の製造方法について図１を参照しながら説明する。
　原料水としての水道水はパイプ１から軟水化装置５へ導入される。パイプ１には永久磁石３が付設されている。この永久磁石の磁束量は３５，０００Ｇ（ガウス）。軟水化装置５には三浦工業株式会社製の全自動軟水化装置（型番：ＭＳ４０）を用いて軟水とする。
【００２５】
　原料水は軟水化装置５からパイプ７を介して恒温タンク９へ送られる。恒温タンク９は約４０℃に維持されており、循環パイプ１１とそのポンプ１２により原料水が循環されている。循環パイプ１１には永久磁石１３が付設されており、循環中の原料水を再度磁気化している。この永久磁石１３の磁束量は３５，０００Ｇである。この恒温タンク９が原料水で満タンになった時点で、原料水の供給をとめる。そして、約６０分間恒温タンク９において原料水を循環させかつ磁場を印加する。
【００２６】
　その後、パイプ１５及びそのポンプ１７を用いて適量の原料水を攪拌槽１９へ送り、ここで難燃化薬剤を溶解する。符号２１は攪拌機であり、攪拌槽も４０℃に維持されている。
【００２７】
　次に本考案の不燃水貯蔵用タンクの実施例について図２を参照しながら説明する。
　本実施例の不燃水貯蔵用タンク３１はポリタンク本体３２と給水栓３３とを備え、給水栓３３は、弁箱３４内に貫通孔３５のあいた円錐形の栓３６を設けてある。そして、ハンドル３７によって上記栓３６を回転させることにより、上記栓３６が弁箱３４に対して摺動しながら給水タンク からの水流を開閉するようになっている。そして、弁箱３４の配水管３８の外面に、配水管３８の内部を通過する不燃水に磁場を印加するための永久磁石３９が設けられている。この磁石の磁束量は３５，０００Ｇである。
　本実施例の不燃水貯蔵用タンクによれば、木材等に塗布する直前に再度磁場を不燃水に印加するので、長時間経過しても木材等の可燃性材料に対する浸透性を低下させることなく、貯蔵することができる。
【図面の簡単な説明】
【００２８】
【図１】図１は不燃水の製造装置を示す図である。
【図２】図２は本考案の実施例の不燃水貯蔵用タンクを示す説明図である。
【図３】図３は本実施例の不燃水貯蔵用タンクに用いられる給水栓示す説明図である。
【図４】図４は本考案の他の態様の不燃水貯蔵用タンクを示す説明図である。
【図５】図５は図４に示される不燃水貯蔵用タンクに用いられる配水用ホースの構成を示す説明図である。
【符号の説明】
【００２９】
　３、１３　永久磁石
　５　軟水化装置
　９　恒温タンク
　１９　攪拌槽
　３１　ポリタンク
　３４　弁箱
　３６　栓
　３８　配水管
　３９、４１　永久磁石
【図１】
0003100293.tif 000003
【図２】
0003100293.tif 000004
【図３】
0003100293.tif 000005
【図４】
0003100293.tif 000006
【図５】
0003100293.tif 000007